(57)【要約】【課題】各情報端末の表示部を同時に視認することができる通信システムを提供する。【解決手段】通信システム１は、表示部１２と、表示部１２とは異なる面側にループアンテナである書籍端末アンテナ１１とを有する電子書籍端末１０と、表示部２２と、表示部２２とは異なる面側にループアンテナである端末アンテナ２１とを有する情報端末２０と、電子書籍端末１０の書籍端末アンテナ１１側に配置され、書籍端末アンテナ１１と電磁誘導方式により結合する第１アンテナ３２と、第１アンテナに接続され、情報端末２０の端末アンテナ２１側に配置され、端末アンテナ２１と電磁誘導方式により結合する第２アンテナ３３とを有し、電子書籍端末１０及び情報端末２０の通信を中継する中継装置３０とを備える。【選択図】図１
2015069470.tif 000002
【特許請求の範囲】
【請求項１】
第１端末表示部と、前記第１端末表示部とは異なる面側にループアンテナである第１端末アンテナとを有する第１情報端末と、
第２端末表示部と、前記第２端末表示部とは異なる面側にループアンテナである第２端末アンテナとを有する第２情報端末と、
前記第１情報端末の前記第１端末アンテナ側に配置され、前記第１端末アンテナと電磁誘導方式により結合する第１ループアンテナと、前記第１ループアンテナに接続され、前記第２情報端末の前記第２端末アンテナ側に配置され、前記第２端末アンテナと電磁誘導方式により結合する第２ループアンテナとを有し、前記第１情報端末及び前記第２情報端末の通信を中継するアンテナ中継部と、
を備える通信システム。
【請求項２】
請求項１に記載の通信システムにおいて、
前記第１情報端末は、前記第１情報端末を統括制御する第１制御部を有し、
前記第２情報端末は、前記第２情報端末を統括制御する第２制御部を有し、
前記第１情報端末の第１制御部は、前記第１端末表示部に表示する情報を識別する識別情報を、前記アンテナ中継部を介して第２情報端末に送信し、
前記第２情報端末の第２制御部は、受信した前記識別情報に基づいて、前記第２端末表示部に前記第１端末表示部に表示した情報に関わる関連情報を表示すること、
を特徴とする通信システム。
【請求項３】
請求項２に記載の通信システムにおいて、
前記第１情報端末は、書籍ファイルに記録された書籍の内容を前記第１端末表示部に表示する電子書籍端末であり、
前記識別情報は、前記第１端末表示部に表示される前記書籍の内容を識別する情報であること、
を特徴とする通信システム。
【請求項４】
請求項２に記載の通信システムにおいて、
前記第１情報端末は、音楽ファイルに記録された楽曲を再生し、再生する楽曲の情報を前記第１端末表示部に表示する音楽プレーヤであり、
前記識別情報は、前記第１端末表示部に表示される前記楽曲の情報を識別する情報であること、
を特徴とする通信システム。
【請求項５】
請求項２から請求項４までのいずれか１項に記載の通信システムにおいて、
前記第２情報端末は、前記関連情報を保存した外部サーバと通信する通信部を備え、
前記識別情報は、前記関連情報の保存先の情報を含んでおり、
前記第２制御部は、前記第１情報端末から前記識別情報を受信した場合に、受信した前記識別情報に基づいて、前記通信部を介して前記外部サーバと通信を行い、前記関連情報を受信して前記第２端末表示部に表示すること、
を特徴とする通信システム。
【請求項６】
請求項１から請求項５までのいずれか１項に記載の通信システムにおいて、
前記第２情報端末は、前記第２端末アンテナから電磁波を発生することによって、前記アンテナ中継部を介して前記第１情報端末に対して所定のコマンドを発信する端末であり、
前記第１情報端末は、前記第２端末アンテナから発生した電磁波により電磁誘導結合して前記所定のコマンドを受信し、その受信した前記所定のコマンドに基づいて、所定の情報処理を行う端末であること、
を特徴とする通信システム。
【請求項７】
請求項１から請求項６までのいずれか１項に記載の通信システムにおいて、
前記アンテナ中継部は、前記第１端末表示部及び前記第２端末表示部の表示面が同一方向を向くようにして、前記第１情報端末及び前記第２情報端末を載置する保持部を有すること、
を特徴とする通信システム。
【発明の詳細な説明】
【技術分野】
【０００１】
本発明は、通信システムに関するものである。
【背景技術】
【０００２】
従来、内部アンテナとしてループアンテナを備える情報端末があった（例えば、特許文献１）。この内部アンテナは、情報端末がＩＣカード等の媒体との間でＮＦＣ規格等に基づいて通信するためのものである。
このような情報端末は、他の情報端末とデータを送受信する場合、互いのループアンテナ同士をかざして近距離無線通信により行う場合がある。また、このような情報端末は、表面に情報を表示する液晶モニタ等の表示部が設けられる場合があり、その場合、表示部とは反対側の背面にループアンテナが設けられる。
そのため、このような情報端末間で近距離無線通信をするために各情報端末のループアンテナ同士をかざした場合、一方の表示部に対して他方の表示部が反対側を向いてしまうこととなり、各情報端末の表示部を同時に視認することができなかった。
【先行技術文献】
【特許文献】
【０００３】
【特許文献１】特開２００８−２６９４００号公報
【発明の概要】
【発明が解決しようとする課題】
【０００４】
本発明の課題は、各情報端末の表示部を同時に視認することができる通信システムを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
第１の発明は、第１端末表示部（１２）と、前記第１端末表示部とは異なる面側にループアンテナである第１端末アンテナ（１１）とを有する第１情報端末（１０）と、第２端末表示部（２２）と、前記第２端末表示部とは異なる面側にループアンテナである第２端末アンテナ（２１）とを有する第２情報端末（２０）と、前記第１情報端末の前記第１端末アンテナ側に配置され、前記第１端末アンテナと電磁誘導方式により結合する第１ループアンテナ（３２）と、前記第１ループアンテナに接続され、前記第２情報端末の前記第２端末アンテナ側に配置され、前記第２端末アンテナと電磁誘導方式により結合する第２ループアンテナ（３３）とを有し、前記第１情報端末及び前記第２情報端末の通信を中継するアンテナ中継部（３０）と、を備える通信システム（１）である。
第２の発明は、第１の発明の通信システム（１）において、前記第１情報端末（１０）は、前記第１情報端末を統括制御する第１制御部（１４）を有し、前記第２情報端末（２０）は、前記第２情報端末を統括制御する第２制御部（２５）を有し、前記第１情報端末の第１制御部は、前記第１端末表示部に表示する情報を識別する識別情報を、前記アンテナ中継部（３０）を介して第２情報端末に送信し、前記第２情報端末の第２制御部は、受信した前記識別情報に基づいて、前記第２端末表示部（２２）に前記第１端末表示部（１２）に表示した情報に関わる関連情報を表示すること、を特徴とする通信システムである。
第３の発明は、第２の発明の通信システム（１）において、前記第１情報端末（１０）は、書籍ファイルに記録された書籍の内容を前記第１端末表示部（１２）に表示する電子書籍端末であり、前記識別情報は、前記第１端末表示部に表示される前記書籍の内容を識別する情報であること、を特徴とする通信システムである。
第４の発明は、第２の発明の通信システム（１０１）において、前記第１情報端末（１１０）は、音楽ファイルに記録された楽曲を再生し、再生する楽曲の情報を前記第１端末表示部（１１２）に表示する音楽プレーヤであり、前記識別情報は、前記第１端末表示部に表示される前記楽曲の情報を識別する情報であること、を特徴とする通信システムである。
第５の発明は、第２発明から第４の発明までのいずれかの通信システム（１）において、前記第２情報端末（２０）は、前記関連情報を保存した外部サーバ（５０）と通信する通信部（２３）を備え、前記識別情報は、前記関連情報の保存先の情報を含んでおり、前記第２制御部（２５）は、前記第１情報端末（１０）から前記識別情報を受信した場合に、受信した前記識別情報に基づいて、前記通信部を介して前記外部サーバと通信を行い、前記関連情報を受信して前記第２端末表示部（２２）に表示すること、を特徴とする通信システムである。
第６の発明は、第１の発明から第５の発明までのいずれかの通信システム（１）において、前記第２情報端末（２０）は、前記第２端末アンテナ（２１）から電磁波を発生することによって、前記アンテナ中継部（３０）を介して前記第１情報端末（１０）に対して所定のコマンドを発信する端末であり、前記第１情報端末は、前記第２端末アンテナから発生した電磁波により電磁誘導結合して前記所定のコマンドを受信し、その受信した前記所定のコマンドに基づいて、所定の情報処理を行う端末であること、を特徴とする通信システムである。
第７の発明は、第１の発明から第６の発明までのいずれかの通信システム（１）において、前記アンテナ中継部（３０）は、前記第１端末表示部（１２）及び前記第２端末表示部（２２）の表示面が同一方向を向くようにして、前記第１情報端末（１０）及び前記第２情報端末（２０）を載置する保持部（３１）を有すること、を特徴とする通信システムである。
【発明の効果】
【０００７】
本発明によれば、各情報端末の表示部を同時に視認することができる通信システムを提供することができる。
【図面の簡単な説明】
【０００８】
【図１】第１実施形態の通信システム１の斜視図である。
【図２】第１実施形態の通信システム１の使用態様を説明する図である。
【図３】第１実施形態の通信システム１の断面図である。
【図４】第１実施形態の書籍端末アンテナ１１の外形と、第１アンテナ３２の外形との比較を説明する図である。
【図５】第２実施形態の通信システム１０１の斜視図である。
【発明を実施するための形態】
【０００９】
（第１実施形態）
以下、図面等を参照して、本発明の第１実施形態について説明する。
図１は、第１実施形態の通信システム１の斜視図である。
図２は、第１実施形態の通信システム１の使用態様を説明する図である。
図３は、第１実施形態の通信システム１の断面図である。
なお、図面の理解を容易にするために、各図には、図１の状態を基準として、左右方向Ｘ、奥行方向Ｙ、鉛直（厚み）方向Ｚの座標軸を設けた。また、各図は、構成を明確にするために、厚み方向を適宜誇張して図示した。
図１、図２に示すように、通信システム１は、電子書籍端末（第１情報端末）１０、情報端末（第２情報端末）２０、中継装置（アンテナ中継部）３０を備える。通信システム１は、電子書籍端末１０と情報端末２０との間に中継装置３０を配置して、電子書籍端末１０及び情報端末２０が中継装置３０を介して通信する。
【００１０】
電子書籍端末１０は、書籍端末アンテナ（第１端末アンテナ）１１、表示部（第１端末表示部）１２、記憶部１３、制御部（第１制御部）１４等を備えている。電子書籍端末１０は、記憶部１３に保存された雑誌や小説等の書籍のファイル（以下、書籍ファイルという）を読み出して、その内容を表示部１２に表示する端末である。
また、電子書籍端末１０は、書籍端末アンテナ１１を介してＮＦＣ規格に基づいて、他の媒体（情報端末２０）との間で通信することができる。
書籍端末アンテナ１１は、ループアンテナである。書籍端末アンテナ１１は、表示部１２とは反対側の背面側に収容されている。
表示部１２は、タッチパネルであり、表示装置、入力装置を兼用するものである。表示部１２は、電子書籍端末１０の一方の面である表面側（＋Ｚ側）に配置されている。電子書籍端末１０の外形は、表示部１２の外形よりも一回り大きい程度である。
【００１１】
記憶部１３は、電子書籍端末１０の動作に必要な情報や、プログラム等を記憶するための半導体メモリ素子等の記憶装置である。
記憶部１３には、雑誌や小説等の複数の書籍ファイルが記録されている。この書籍ファイルには、雑誌や小説等の各ページに記載される文書や写真等の情報が記録されている。
また、記憶部１３には、書籍ファイルの各ページを識別する識別情報がページ毎に記録されている。具体的には、この識別番号には、書籍ファイルを識別する記号と、ページ番号を識別する記号とが記録されている。また、この識別情報には、これらの記号と対応付けて、各書籍ファイルのページ毎の詳細な情報を、インターネット接続を通じて外部サーバ５０（後述する）から取得することができるページ毎のＵＲＬ（Ｕｎｉｆｏｒｍ  Ｒｅｓｏｕｒｃｅ  Ｌｏｃａｔｏｒ）情報が記録されている。
【００１２】
制御部１４は、電子書籍端末１０を統括的に制御するための制御装置であり、例えば、ＣＰＵ（中央処理装置）等から構成される。制御部１４は、使用者の操作に応じて、記憶部１３から書籍ファイルを読み出して表示部１２にページ毎に書籍内容を表示する。
また、制御部１４は、書籍端末アンテナ１１を制御することにより、他の媒体（情報端末２０）との間で、電磁誘導方式によって、非接触により直接通信をする機能を有する。
本実施形態では、電子書籍端末１０は、この非接触通信としてＮＦＣ規格（ＩＳＯ／ＩＥＣ１８０９２（ＮＦＣ  ＩＰ−１）、ＩＳＯ／ＩＥＣ２１４８１（ＮＦＣ  ＩＰ−２））に基づいて、１３．５６ＭＨｚの電磁波を利用して、情報端末２０との間で直接通信をし、情報端末２０に情報を送信したり、受信したりする機能を備える。
【００１３】
情報端末２０は、ＮＦＣ規格に基づいて、他の媒体との間で通信可能な携帯情報端末である。また、情報端末２０は、通信基地局を介して外部サーバ５０とインターネット接続により通信することができる。情報端末２０は、通信システム１のために特別に用意したものではなく、いわゆるタブレット型の通信端末を用いる。情報端末２０の形状は、厚さが例えば１０ｍｍ以内の薄い直方体である。
情報端末２０は、端末アンテナ（第２端末アンテナ）２１、表示部（第２端末表示部）２２、通信部２３、記憶部２４、制御部（第２制御部）２５を備える。
端末アンテナ２１は、ＮＦＣ規格に基づいて他の媒体との間で電磁誘導方式により通信を行うループアンテナである。端末アンテナ２１は、表示部２２とは反対側の背面側に収容されている。
表示部２２は、タッチパネルであり、表示装置、入力装置を兼用するものである。表示部２２は、情報端末２０の一方の面である正面側に配置されている。
【００１４】
通信部２３は、通信基地局を介して外部サーバ５０と通信をするインターネット用の無線通信装置である。
記憶部２４は、情報端末２０の動作に必要な情報や、プログラム等を記憶するための半導体メモリ素子等の記憶装置である。
制御部２５は、情報端末２０を統括的に制御するための制御装置であり、例えば、ＣＰＵ（中央処理装置）等から構成される。
制御部２５は、端末アンテナ２１を制御することにより、他の媒体（電子書籍端末１０）との間で、電磁誘導方式によって、非接触により直接通信をする機能を有する。
本実施形態では、情報端末２０は、この非接触通信としてＮＦＣ規格（ＩＳＯ／ＩＥＣ１８０９２（ＮＦＣ  ＩＰ−１）、ＩＳＯ／ＩＥＣ２１４８１（ＮＦＣ  ＩＰ−２））に基づいて、１３．５６ＭＨｚの電磁波を利用して、電子書籍端末１０との間で直接通信をし、電子書籍端末１０から情報を読み取ったり、送信したりする機能を備える。
また、制御部２５は、通信部２３を制御して、通信基地局を介して外部サーバ５０に対してインターネット接続をしてデータの送受信をすることができる。
【００１５】
中継装置３０は、電子書籍端末１０及び情報端末２０が載置（配置）される。中継装置３０は、ケース３１（保持部）、第１アンテナ３２、第２アンテナ３３、接続部３４を備える。
ケース３１は、中継装置３０の筐体であり、第１アンテナ３２、第２アンテナ３３等の構成部品を内部に収容して保持する。ケース３１は、電子書籍端末１０及び情報端末２０を載置するケースとして機能するように形成されている。
ケース３１は、書籍端末載置部３１ａ、情報端末載置部３１ｂ、端末固定部３１ｃ、連結部３１ｄ等を備える。ケース３１は、樹脂等によって形成されており、一体的に構成されている。
【００１６】
書籍端末載置部３１ａは、電子書籍端末１０が載置される部分である。書籍端末載置部３１ａは、載置された電子書籍端末１０の書籍端末アンテナ１１に対応する位置に第１アンテナ３２が配置されている。書籍端末載置部３１ａは、図３に示すように、表示部１２を表面（鉛直上方＋Ｚ）側にして電子書籍端末１０が載置されることにより、厚み方向Ｚにおいて、書籍端末アンテナ１１と第１アンテナ３２とが近接し、両アンテナによる電磁誘導結合を効率よくすることができる。
情報端末載置部３１ｂは、情報端末２０が載置される部分である。情報端末載置部３１ｂは、載置された情報端末２０の端末アンテナ２１に対応する位置に第２アンテナ３３が配置されている。情報端末載置部３１ｂは、表示部２２を表面（鉛直上方＋Ｚ）側にして情報端末２０が載置されることにより、厚み方向Ｚにおいて端末アンテナ２１と第２アンテナ３３とが近接し、両アンテナによる電磁誘導結合を効率よくすることができる。
【００１７】
端末固定部３１ｃは、各端末載置部３１ａ、３１ｂに載置された各端末１０、２０を固定する部材である。本実施形態では、端末固定部３１ｃは、帯状のゴムで形成されており、各端末の上側及び下側の角部を各端末載置部に対して押さえつけるようにして固定する。
連結部３１ｄは、書籍端末載置部３１ａと情報端末載置部３１ｂとを連結する部分であり、この連結部３１ｄを境にしてケース３１を二つ折りにして畳むことができる。
【００１８】
第１アンテナ３２は、例えば、３回巻き程度のループアンテナである。第１アンテナ３２は、例えば、電気基板（フレキシブル基板、リジット基板等）上にプリント配線により形成されたり、樹脂等の基材上に電線をループ状に配線して形成されたりする。
第１アンテナ３２は、ケース３１の書籍端末載置部３１ａ内部の鉛直上方（＋Ｚ）側に配置される。これは、電子書籍端末１０が載置された状態で、第１アンテナ３２を書籍端末アンテナ１１に対してより近接して配置するためである。
【００１９】
第２アンテナ３３は、第１アンテナ３２と同様なループアンテナである。
第２アンテナ３３は、ケース３１の情報端末載置部３１ｂ内部の鉛直上方（＋Ｚ）側に配置される。これは、情報端末２０が載置された状態で、第２アンテナ３３を端末アンテナ２１に対してより近接して配置するためである。
【００２０】
接続部３４は、第１アンテナ３２及び第２アンテナ３３間を電気的に接続する部分である。接続部３４は、第１アンテナ３２の両端部、第２アンテナ３３の両端部をそれぞれ電気的に接続する。接続部３４は、連結部３１ｄ内に収容されている。
第１アンテナ３２、第２アンテナ３３、接続部３４は、上記構成を実現できれば、いずれの形態でもよい。
例えば、接続部３４として電気ケーブル等を用いて、第１アンテナ３２及び第２アンテナ３３間を、電気的に接続してもよい。また、第１アンテナ３２、第２アンテナ３３、接続部３４を、１つのフレキシブル基板上に形成してもよい。
【００２１】
外部サーバ５０は、通信基地局を介してインターネット接続することができる通信サーバである。外部サーバ５０には、制御部や記憶部等（不図示）が設けられており、その記憶部に、電子書籍端末１０の記憶部１３に保存された各書籍ファイルのページ毎の詳細情報（関連情報）が記録されている。
【００２２】
電子書籍端末１０の書籍端末アンテナ１１の外形及び中継装置３０の第１アンテナ３２の外形と、情報端末２０の端末アンテナ２１の外形及び中継装置３０の第２アンテナ３３の外形とについて説明する。
図４は、第１実施形態の書籍端末アンテナ１１の外形と、第１アンテナ３２の外形との比較を説明する図である。
図４（ａ）は、電子書籍端末１０の外形及び書籍端末アンテナ１１と、中継装置３０の書籍端末載置部３１ａの外形及び第１アンテナ３２とを示す。
図４（ｂ）は、電子書籍端末１０を中継装置３０に載置した状態を示す。
【００２３】
書籍端末アンテナ１１は、電子書籍端末１０に収容されているので、書籍端末アンテナ１１の外形は、電子書籍端末１０よりも小さい。
一方、第１アンテナ３２の外形は、電子書籍端末１０との通信の効率を良好に保つ観点から書籍端末アンテナ１１の外形とほぼ同程度の大きさであることが望ましい。但し、電子書籍端末１０の機種毎に書籍端末アンテナ１１の配置位置や大きさが相違するので、図４（ａ）に示すように、第１アンテナ３２の外形は、電子書籍端末１０の外形とほぼ同程度にしてもよい。
第１アンテナ３２の外形を電子書籍端末１０の外形とほぼ同程度にした場合、図４（ｂ）に示すように、電子書籍端末１０を中継装置３０に載置した状態では、第１アンテナ３２の外形よりも内側に、書籍端末アンテナ１１が配置されることとなる。これにより、書籍端末アンテナ１１及び第１アンテナ３２は、安定して電磁誘導結合することができる。
【００２４】
また、情報端末２０と中継装置３０とにおいても同様に、第２アンテナ３３の外形は、情報端末２０との通信の効率を良好に保つ観点から端末アンテナ２１の外形とほぼ同程度の大きさであることが望ましい。但し、情報端末２０の機種毎に端末アンテナ２１の配置位置や大きさが相違するので、第２アンテナ３３の外形は、情報端末２０の外形とほぼ同程度にしてもよい。
第２アンテナ３３の外形を情報端末２０の外形とほぼ同程度にした場合、情報端末２０を中継装置３０に載置した状態では、第２アンテナ３３の外形よりも内側に、端末アンテナ２１が配置される。これにより、端末アンテナ２１及び第２アンテナ３３は、安定して電磁誘導結合することができる。
【００２５】
ここで、書籍端末アンテナ１１の収容位置や大きさは、上述したように電子書籍端末１０の機種毎に異なっており、また同様に、端末アンテナ２１の収容位置や大きさは、情報端末２０の機種毎に異なっている。図４の例では、書籍端末アンテナ１１は、電子書籍端末１０のほぼ中央に収容されているが、端末の外形に対して上側や下側に偏って配置されている機種もある。同様に、情報端末２０の端末アンテナ２１も、機種毎に配置位置が相違する。
この場合、第１アンテナ３２の外形を電子書籍端末１０の大きさとほぼ同程度にし、また、第２アンテナ３３の外形を情報端末２０の大きさとほぼ同程度にしておけば、第１アンテナ３２の外形は、書籍端末アンテナ１１の外形よりも大きくなり、また、第２アンテナ３３の外形は、情報端末２０の外形よりも大きくなる。そのため、この場合、中継装置３０は、どのような機種の電子書籍端末１０や情報端末２０が載置されても、第１アンテナ３２の外形の内側に書籍端末アンテナ１１が配置され、第２アンテナ３３の外形の内側に端末アンテナ２１が配置されるようになる。これにより、通信システム１は、汎用性を向上することができる。
【００２６】
通信システム１の通信方法について説明する。
（第１アンテナ３２及び書籍端末アンテナ１１の結合）
図１、図３に示すように、通信システム１の使用時には、電子書籍端末１０は、ケース３１に載置された状態が維持される。この状態では、第１アンテナ３２及び書籍端末アンテナ１１が対向した状態になる。第１アンテナ３２及び書籍端末アンテナ１１間の距離は、例えば、１０ｍｍ程度以内である。これにより、第１アンテナ３２及び書籍端末アンテナ１１は、電磁誘導方式により結合し、情報を送受信することができる。
【００２７】
（第２アンテナ３３及び端末アンテナ２１の結合）
情報端末２０は、ケース３１に載置された状態が維持される。この状態では、第２アンテナ３３及び端末アンテナ２１が対向した状態になる。第２アンテナ３３及び端末アンテナ２１間の距離は、例えば、１０ｍｍ程度以内である。これにより、第２アンテナ３３及び端末アンテナ２１は、電磁誘導方式により結合し、情報を送受信することができる。
【００２８】
また、第２アンテナ３３及び端末アンテナ２１の上記結合により、第２アンテナ３３に発生した起電力によって、第１アンテナ３２に交流の電流が流れる。これにより、第１アンテナ３２及び書籍端末アンテナ１１は、電磁誘導方式により結合し、情報を送受信できる。
以上の作用によって、電子書籍端末１０の制御部１４及び情報端末２０の制御部２５は、中継装置３０を介して通信することができる。
【００２９】
通信システム１の使用方法、使用態様の一例を説明する。
図１に示すように、使用者は、ケース３１に電子書籍端末１０及び情報端末２０を配置し、電子書籍端末１０及び情報端末２０の電源を投入し、各端末が互いに通信可能な状態にする。このとき、情報端末２０の制御部２５は、端末アンテナ２１から所定の周期（例えば、１秒間隔）でポーリングコマンド（要求問合せコマンド、所定のコマンド）を、中継装置３０を介して電子書籍端末１０の書籍端末アンテナ１１に発信して、電子書籍端末１０からの通信を待機する。
使用者は、電子書籍端末１０を操作して、所定の書籍ファイル、例えば、雑誌の書籍ファイルを選択する。このとき、電子書籍端末１０の制御部１４は、記憶部１３から選択された雑誌の書籍ファイルを読み出して、雑誌の表紙を表示部１２に表示する。
【００３０】
使用者が電子書籍端末１０の表示部１２上で雑誌の表紙をめくる操作を行うと、電子書籍端末１０の制御部１４は、その操作に応じて、雑誌の１ページ目の情報を表示部１２に表示する。これと同時に、制御部１４は、情報端末２０から受信したポーリングコマンドに応答して、そのめくられた１ページ目に対応する識別情報（ＵＲＬ情報）を記憶部１３から読み出し、書籍端末アンテナ１１及び中継装置３０を介して情報端末２０に送信する（所定の情報処理）。
【００３１】
情報端末２０の制御部２５は、中継装置３０及び端末アンテナ２１を介してＵＲＬ情報を電子書籍端末１０から受信する。そして、制御部２５は、受信したＵＲＬ情報に基づいて、通信部２３を介してインターネット接続により通信基地局を介して所定の外部サーバ５０にアクセスして、１ページ目に関わる詳細情報（関連情報）を受信して、表示部２２に表示する。
このようにすることで、使用者は、電子書籍端末１０の表示部１２に表示された書籍（雑誌）を読んでいるときに、読んでいるページに記載された記事に関わる詳細な情報を情報端末２０に表示させて確認することができる。
また、表示部２２に表示される詳細情報を、識別情報（ＵＲＬ情報）に基づいて外部サーバ５０から受信しているので、通信システム１は、電子書籍端末１０の表示部１２に表示された情報に対して、常に最新の詳細情報を情報端末２０の表示部２２に表示することができる。
【００３２】
以上より、本実施形態の通信システム１には、以下のような効果がある。
（１）通信システム１は、電子書籍端末１０の書籍端末アンテナ１１及び情報端末２０の端末アンテナ２１が、それぞれ表示部１２、２２とは異なる側に配置されており、中継装置３０が書籍端末アンテナ１１及び端末アンテナ２１の通信を中継する。そのため、通信システム１は、電子書籍端末１０の表示部１２と情報端末２０の表示部２２とを同一方向に向けることができる。これにより、電子書籍端末１０の表示部１２の表示内容と、情報端末２０の表示部２２の表示内容とを同時に視認して確認することができ、電子書籍端末１０の利便性を向上させることができる。
（２）通信システム１は、電子書籍端末１０が、表示部１２に表示する書籍ファイルの識別情報（ＵＲＬ情報）を、中継装置３０を介して情報端末２０に送信し、情報端末２０が、受信した識別情報に基づいて電子書籍端末１０の表示部１２に表示した情報に関わる情報を情報端末２０の表示部２２に表示する。これにより、通信システム１は、書籍ファイルの各ページの記事を電子書籍端末１０の表示部１２に表示するだけでなく、表示部１２に表示された情報の詳細情報（関連情報）を情報端末２０の表示部２２に表示させることができ、電子書籍端末１０の利便性を向上させることができる。
（３）通信システム１は、中継装置３０が、表示部１２及び表示部２２の表示面が同一方向を向くようにして、電子書籍端末１０及び情報端末２０を載置するケース３１を有している。これにより、通信システム１は、電子書籍端末１０及び情報端末２０の通信可能な状態を維持しつつ、電子書籍端末１０及び情報端末２０を１つにまとめて保持することができ、持ち運び等を容易にすることができる。
【００３３】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を付して、重複する説明を適宜省略する。
図５は、第２実施形態の通信システム１０１の斜視図である。
第２実施形態の通信システム１０１は、図５に示すように、電子書籍端末１０の代わり音楽プレーヤ（第１情報端末）１１０が中継装置１３０を介して情報端末２０と通信する点で、第１実施形態の通信システム１と相違する。
通信システム１０１は、音楽プレーヤ（第１情報端末）１１０、情報端末２０、中継装置（アンテナ中継部）１３０を備える。
【００３４】
音楽プレーヤ１１０は、プレーヤアンテナ（第１端末アンテナ）１１１、表示部（第１端末表示部）１１２、音声出力部１１３、記憶部１１４、制御部（第１制御部）１１５、イヤホン１１６等を備えている。音楽プレーヤ１１０は、記憶部１１４に保存された音楽ファイルを再生する端末である。
また、音楽プレーヤ１１０は、プレーヤアンテナ１１１を介してＮＦＣ規格に基づいて、他の媒体（情報端末２０）との間で通信することができる。
プレーヤアンテナ１１１は、ループアンテナである。プレーヤアンテナ１１１は、表示部１１２とは反対側の背面側に収容されている。
表示部１１２は、タッチパネルであり、表示装置、入力装置を兼用するものである。表示部１１２は、音楽プレーヤ１１０の一方の面である表面側（＋Ｚ側）に配置されている。表示部１１２には、記憶部１１４に保存された音楽ファイルの情報等が表示される。また、表示部１１２は、音楽ファイルの再生中においては、再生されている音楽ファイルの曲名及び曲の再生時間が表示される。
【００３５】
音声出力部１１３は、音楽プレーヤ１１０で再生された音楽ファイルの音声を出力する出力端子であり、本実施形態では、その端子にイヤホン１１６が装着されている。
記憶部１１４は、音楽プレーヤ１１０の動作に必要な情報や、プログラム等を記憶するための半導体メモリ素子等の記憶装置である。記憶部１１４には、楽曲が記録された音楽ファイルが複数保存されている。
また、記憶部１１４には、保存された各音楽ファイルを識別する識別情報が保存されている。
制御部１１５は、音楽プレーヤ１１０を統括的に制御するための制御装置であり、例えば、ＣＰＵ（中央処理装置）等から構成される。制御部１１５は、使用者の操作に応じて、記憶部１１４から音楽ファイルを読み出して再生する。
また、制御部１１５は、プレーヤアンテナ１１１を制御することにより、他の媒体（情報端末２０）との間で、電磁誘導方式によって、非接触により直接通信をする機能を有する。
本実施形態では、音楽プレーヤ１１０は、この非接触通信としてＮＦＣ規格（ＩＳＯ／ＩＥＣ１８０９２（ＮＦＣ  ＩＰ−１）、ＩＳＯ／ＩＥＣ２１４８１（ＮＦＣ  ＩＰ−２））に基づいて、１３．５６ＭＨｚの電磁波を利用して、情報端末２０との間で直接通信をし、情報端末２０に情報を送信したり、受信したりする機能を備える。
情報端末２０の記憶部２４には、音楽プレーヤ１１０から送信される識別情報によって識別される音楽ファイルに記録された楽曲の作曲者名や、楽曲の説明等の詳細情報（関連情報）が保存されている。
【００３６】
中継装置１３０は、音楽プレーヤ１１０及び情報端末２０が載置（配置）される。中継装置１３０は、ケース１３１（保持部）、第１アンテナ１３２、第２アンテナ１３３、接続部１３４を備える。
ケース１３１は、音楽プレーヤ１１０及び情報端末２０を載置するケースとして機能するように形成されている。
ケース１３１は、プレーヤ載置部１３１ａ、情報端末載置部１３１ｂ、端末固定部１３１ｃ、連結部１３１ｄ等を備える。ケース１３１は、樹脂等によって形成されており、一体的に構成されている。
【００３７】
プレーヤ載置部１３１ａは、表示部１１２を表面側にして音楽プレーヤ１１０が載置される部分である。プレーヤ載置部１３１ａは、載置された音楽プレーヤ１１０のプレーヤアンテナ１１１に対応する位置に第１アンテナ１３２が配置されている。
情報端末載置部１３１ｂは、表示部２２を表面側にして情報端末２０が載置される部分である。情報端末載置部１３１ｂは、載置された情報端末２０の端末アンテナ２１に対応する位置に第２アンテナ１３３が配置されている。
【００３８】
第１アンテナ１３２は、ケース１３１のプレーヤ載置部１３１ａ内部の鉛直上方（＋Ｚ）側に配置される。これは、音楽プレーヤ１１０が載置された状態で、第１アンテナ１３２をプレーヤアンテナ１１１に対してより近接して配置するためである。
第２アンテナ１３３は、ケース１３１の情報端末載置部１３１ｂ内部の鉛直上方（＋Ｚ）側に配置される。これは、情報端末２０が載置された状態で、第２アンテナ１３３を端末アンテナ２１に対してより近接して配置するためである。
【００３９】
次に、通信システム１０１の使用方法、使用態様の一例を説明する。
使用者は、ケース１３１に音楽プレーヤ１１０及び情報端末２０を配置し、音楽プレーヤ１１０及び情報端末２０の電源を投入し、両者を通信可能な状態にする。このとき、情報端末２０の制御部２５は、端末アンテナ２１からポーリングコマンド（所定のコマンド）を音楽プレーヤ１１０のプレーヤアンテナ１１１に発信して、音楽プレーヤ１１０からの通信を待機する。
使用者は、音楽プレーヤ１１０を操作して、所定の音楽ファイルを選択する。このとき、音楽プレーヤ１１０の制御部１１５は、記憶部１１４から選択された音楽ファイルを読み出して再生して、音声出力部１１３に接続されたイヤホン１１６から音声を出力するとともに、再生している音楽ファイルの曲名と、再生時間とを表示部１１２に表示する。
【００４０】
また、これと同時に制御部１１５は、情報端末２０から受信したポーリングコマンドに応答して、再生された音楽ファイルの識別情報を記憶部１１４から読み出して、プレーヤアンテナ１１１及び中継装置３０を介して情報端末２０に送信する（所定の情報処理）。
情報端末２０の制御部２５は、中継装置３０及び端末アンテナ２１を介して識別情報を音楽プレーヤ１１０から受信する。そして、制御部２５は、受信した識別情報に基づいて、音楽プレーヤ１１０で再生している音楽ファイルの詳細情報を記憶部２４から読み出して、表示部２２に表示する。
【００４１】
このようにすることで、使用者は、音楽プレーヤ１１０で音楽ファイルを再生しているときに、その再生している楽曲の詳細な情報を情報端末２０の表示部２２から確認することができ、再生している楽曲をより効果的に楽しむことができる。
また、通信システム１０１は、情報端末２０の記憶部２４に詳細情報を記録しているので、インターネット接続等をすることなく、より早く再生している楽曲の詳細情報を表示部２２に表示することができる。また、インターネット接続等の通信環境が整っていない場所においても、詳細情報を表示部２２に表示することができる。
【００４２】
以上より、本実施形態の通信システム１０１は、音楽プレーヤ１１０の表示部１１２と情報端末２０の表示部２２とを同一方向に向けることができ、音楽プレーヤ１１０の表示部１１２の表示内容と、情報端末２０の表示部２２の表示内容とを同時に視認して確認することができ、音楽プレーヤ１１０の利便性を向上させることができる。
また、通信システム１は、中継装置１３０が、音楽プレーヤ１１０及び情報端末２０を載置するケース１３１を有しているので、音楽プレーヤ１１０及び情報端末２０の通信可能な状態を維持しつつ、音楽プレーヤ１１０及び情報端末２０を１つにまとめにして保持することができ、持ち運び等を容易にすることができる。
更に、情報端末２０が、音楽プレーヤ１１０から受信した識別情報に基づいて音楽プレーヤ１１０の表示部１１２に表示した情報に関わる情報を情報端末２０の表示部２２に表示する。これにより、通信システム１０１は、音楽ファイルの曲名や再生時間を音楽プレーヤ１１０の表示部１１２に表示するだけでなく、表示部１１２に表示された曲名の作曲者や、曲の説明等の詳細情報（関連情報）を情報端末２０の表示部２２に表示させることができ、音楽プレーヤ１１０の利便性を向上させることができる。
【００４３】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４４】
（変形形態）
【００４５】
（１）第１実施形態において、電子書籍端末１０が識別情報としてＵＲＬ情報を送信し、情報端末２０が受信したＵＲＬ情報に基づいて通信部２３を介してインターネット接続により詳細情報を受信して表示部２２に表示する例を示したが、これに限定されるものでない。例えば、第２実施形態のように、情報端末２０の記憶部２４に識別情報に対応する詳細情報を予め記録しておき、情報端末２０の制御部２５が電子書籍端末１０から識別情報を受信した場合に、その受信した識別情報に基づいて、記憶部２４から詳細情報を読み出して表示部２２に表示するようにしてもよい。
（２）また、第２実施形態において、音楽プレーヤ１１０が識別情報を送信し、情報端末２０が受信した識別情報に基づいて記憶部２４から詳細情報を読み出して表示部２２に表示する例を示したが、これに限定されるものでない。例えば、第１実施形態のように、音楽プレーヤ１１０が識別情報としてＵＲＬ情報を送信し、情報端末２０が受信したＵＲＬ情報に基づいて通信部２３を介してインターネット接続により再生する音楽ファイルの詳細情報を取得して表示部２２に表示するようにしてもよい。
【００４６】
（３）第１実施形態において、通信システム１は、電子書籍端末１０に表示される書籍ファイルのページをめくるたびに、表示部１２に表示したページの記事に関連するＵＲＬ情報が識別情報として書籍端末アンテナ１１から送信される例を示したが、これに限定されるものでない。
例えば、書籍ファイルの各ページに記載される文書内において、特定の文字や文章に対して表示部１２の操作からマーカーが入力された場合に、電子書籍端末１０の制御部１４が、そのマーカーが入力された情報を識別情報として情報端末２０に送信する。そして、受信した識別情報に基づいて、情報端末２０の制御部２５が、電子書籍端末１０上でマーカーが入力された文字や文章の意味を関連情報として、表示部２２に表示するようにしてもよい。
また、制御部２５がマーカーが入力された文字や文章の意味の情報の書き込みコマンド（所定のコマンド）を電子書籍端末１０に送信し、電子書籍端末１０の制御部１４が、そのコマンドに応答して、受信した情報を記憶部１３に記憶するようにしてもよい（所定の情報処理）。
【００４７】
（４）第１実施形態において、識別情報（ＵＲＬ情報）は、書籍ファイルのページ毎に設けられている例を示したが、書籍ファイルごとに設けられるようにしてもよい。この場合、電子書籍端末１０の制御部１４が、記憶部１３から書籍ファイルを読み込んだときに、識別情報も記憶部１３から読み出して情報端末２０に送信するようにすればよい。
【符号の説明】
【００４８】
１、１０１    通信システム
１０    電子書籍端末
１１    書籍端末アンテナ
１２    表示部
２０    情報端末
２１    端末アンテナ
２２    表示部
３０、１３０    中継装置
３１、１３１    ケース
３２、１３２    第１アンテナ
３３、１３３    第２アンテナ
３４、１３４    アンテナ接続部
１１０    音楽プレーヤ
１１１    プレーヤアンテナ
１１２    表示部
【図１】
2015069470.tif 000003
【図２】
2015069470.tif 000004
【図３】
2015069470.tif 000005
【図４】
2015069470.tif 000006
【図５】
2015069470.tif 000007